【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
無線通信ネットワークにおいて不要パケット・データ・メッセージを識別する方法であって、
パケット・データ・メッセージを処理するためにアーキテクチャ的に配置されたエレメント以外の前記通信ネットワークのエレメントにおいてパケット・データ・メッセージを代行受信するステップと、
前記代行受信したパケット・データ・メッセージが不要メッセージであるかを判定するステップと、
前記代行受信したパケット・データ・メッセージが不要メッセージであると判定された場合には、前記メッセージが不要であることを示すために前記メッセージに関するアクションを実行するステップと、
を含む、方法。
【請求項２】
前記無線通信ネットワークはモバイル無線通信ネットワークであり、前記パケット・データ・メッセージを処理するためにアーキテクチャ的に配置されたエレメントは、前記無線通信ネットワークの移動交換局に接続されたショート・メッセージ・センターおよびマルチメディア・メッセージ・センターのどちらかを含む、請求項１に記載の方法。
【請求項３】
前記パケット・データ・メッセージは、ショート・メッセージ・サービス・メッセージおよびマルチメディア・メッセージ・サービス・メッセージのいずれかを含むように選択される、請求項２に記載の方法。
【請求項４】
前記パケット・データ・メッセージを処理するためにアーキテクチャ的に配置されたエレメント以外の前記通信ネットワークのエレメントは、所定の基地局コントローラおよび基地局の一方により管理される無線通信ネットワーク端末により送信されるか、または、前記無線通信ネットワーク端末へ配信されるパケット・データ・メッセージを代行受信するように前記無線通信ネットワーク内に備えられる、請求項１〜３のいずれか一項に記載の方法。
【請求項５】
前記パケット・データ・メッセージを処理するためにアーキテクチャ的に配置されたエレメント以外の前記通信ネットワークのエレメントは、基地局コントローラと同じ場所に配置される、請求項１〜４のいずれか一項に記載の方法。
【請求項６】
前記パケット・データ・メッセージを処理するためにアーキテクチャ的に配置されたエレメント以外の前記通信ネットワークのエレメントは、メモリおよびプロセッサを含み、
前記メモリは、代行受信したパケット・データ・メッセージが不要メッセージであるかを判定するプログラムを記憶し、
前記プログラムは、代行受信したパケット・データ・メッセージが不要メッセージであるかを判定するステップと、代行受信したパケット・データ・メッセージが不要メッセージであると判定されたことを条件に、前記メッセージが不要であることを示すために前記メッセージに関するアクションを実行するステップを前記プロセッサに実行させる、
請求項１〜５のいずれか一項に記載の方法。
【請求項７】
前記代行受信したパケット・データ・メッセージが不要メッセージであるかを判定するステップは、前記代行受信したパケット・データ・メッセージに関するルーティング情報を分析するステップを含む、請求項１〜６のいずれか一項に記載の方法。
【請求項８】
前記代行受信したパケット・データ・メッセージが不要メッセージであるかを判定するステップは、前記メッセージのコンテンツを分析して前記コンテンツが、悪意のあるアタック・コード、スパム、ウィルスおよびワームのいずれかを含んでいるかを判定する分析ステップを含む、請求項１〜６のいずれか一項に記載の方法。
【請求項９】
前記分析ステップは、一連のフィルタリング・ルールを前記メッセージの前記コンテンツに適用するステップを含む、請求項８に記載の方法。
【請求項１０】
前記一連のフィルタリング・ルールは、スパム検出アルゴリズムを含むように選択される、請求項９に記載の方法。
【請求項１１】
前記スパム検出アルゴリズムは、ショート・メッセージ・サービス・メッセージおよびマルチメディア・メッセージ・サービス・メッセージのいずれかでマクロを検出する、請求項１０に記載の方法。
【請求項１２】
前記スパム検出アルゴリズムは、ショート・メッセージ・サービス・メッセージおよびマルチメディア・メッセージ・サービス・メッセージのいずれかに含まれるコールバック・マクロを検出する、請求項１１に記載の方法。
【請求項１３】
前記一連のフィルタリング・ルールはウィルス／ワーム検出アルゴリズムを含む、請求項９に記載の方法。
【請求項１４】
悪意のあるアタック・コード、スパム、ウィルスおよびワームのいずれかに関して最新の定義を含むプログラムを用いて、パケット・データ・メッセージを処理するためにアーキテクチャ的に配置されたエレメント以外の前記通信ネットワークの前記エレメントを更新するステップを含む、請求項８〜１３のいずれか一項に記載の方法。
【請求項１５】
メッセージが不要メッセージであることを示すために、代行受信したメッセージに関するアクションを実行する前記ステップは、
前記メッセージを破棄するステップ、
悪意のあるアタック・コード、スパム、ウィルスおよびワームのいずれかを含むおそれがあるという警告と共に前記メッセージをカプセル化し、前記カプセル化したメッセージを、対象とする受信者に転送するステップ、
前記対象とする受信者の宛先とは別の宛先に前記メッセージを転送するステップ、
のいずれかを含む、請求項１〜１４のいずれか一項に記載の方法。
【請求項１６】
前記別の宛先は、スパム・メッセージ・リポジトリを含む、請求項１５に記載の方法。
【請求項１７】
代行受信したパケット・データ・メッセージが不要メッセージであるかを判定する前に、初期ステップとして、前記方法は、代行受信したメッセージがショート・メッセージ・サービス・メッセージおよびマルチメディア・メッセージ・サービス・メッセージのいずれかであるかを判定し、前記代行受信したメッセージがショート・メッセージ・サービス・メッセージおよびマルチメディア・メッセージ・サービス・メッセージでないと判定された場合、対象とする宛先に前記メッセージを転送し、これにより不要メッセージ判定装置を回避するステップを含む、請求項１〜１６のいずれか一項に記載の方法。
【請求項１８】
代行受信したパケット・データ・メッセージが不要メッセージであるかを判定する前に、不要メッセージのフィルタリング・サービスに加入している通信ネットワーク加入者の前記端末から前記メッセージが発信したかを判定するステップを含む、請求項１〜１７のいずれか一項に記載の方法。
【請求項１９】
無線通信ネットワークにおいて不要パケット・データ・メッセージを識別するシステムにおいて、
パケット・データ・メッセージを代行受信するパケット・データ・メッセージ・インターセプタであって、このようなパケット・データ・メッセージを処理するためにアーキテクチャ的に配置されたエレメント以外の前記通信ネットワークのエレメントであるパケット・データ・メッセージ・インターセプタと、
代行受信したパケット・データ・メッセージが不要メッセージであるかを判定する不要メッセージ判定装置と、
前記不要メッセージ判定装置に応答して、前記メッセージが不要であることを示すために、前記代行受信したパケット・データ・メッセージに関するアクションを実行するプロセッサと、
を含むシステム。
【請求項２０】
無線通信システムにおいて所定の基地局コントローラおよび基地局のいずれかにより管理される無線通信ネットワーク端末により送信されるか、または、前記無線通信ネットワーク端末へ配信されるパケット・データ・メッセージを代行受信するパケット・データ・メッセージ・インターセプタであって、
前記パケット・データ・メッセージ・インターセプタは、パケット・データ・メッセージを処理するためにアーキテクチャ的に配置されたエレメント以外の前記通信ネットワークのエレメントであり、
パケット・データ・メッセージを代行受信するインターフェースと、代行受信したパケット・データ・メッセージが不要メッセージであるかを判定するプログラムを記憶したメモリと、プロセッサを備え、
前記プログラムは、パケット・データ・メッセージを処理するためにアーキテクチャ的に配置されたエレメント以外の前記通信ネットワークのエレメントにおいてパケット・データ・メッセージを代行受信するステップと、前記代行受信したパケット・データ・メッセージが不要メッセージであるかを判定するステップと、前記代行受信したパケット・データ・メッセージが不要メッセージであると判定された場合には、前記メッセージが不要であることを示すために前記メッセージに関するアクションを実行するステップと、
を前記プロセッサに実行させる、パケット・データ・メッセージ・インターセプタ。
【請求項２１】
無線通信ネットワークにおいて不要パケット・データ・メッセージを識別するプログラムであって、
パケット・データ・メッセージを処理するためにアーキテクチャ的に配置されたエレメント以外の前記通信ネットワークのエレメントにおいてパケット・データ・メッセージを代行受信するステップと、
前記代行受信したパケット・データ・メッセージが不要メッセージであるかを判定するステップと、
前記代行受信したパケット・データ・メッセージが不要メッセージであると判定された場合には、前記メッセージが不要であることを示すために前記メッセージに関するアクションを実行するステップと、
をコンピュータに実行させる、プログラム。
【請求項２２】
無線通信ネットワークにおいて不要パケット・データ・メッセージを識別する方法であって、
パケット・データ・メッセージを代行受信するステップと、
代行受信したパケット・データ・メッセージが不要メッセージであるかを判定するステップと、
代行受信したパケット・データ・メッセージが不要メッセージであると判定された場合には、前記メッセージが不要であることを示すために前記メッセージに関するアクションを実行するステップを含み、
前記代行受信したパケット・データ・メッセージが不要メッセージであるかを判定するステップは、前記メッセージのコンテンツが、悪意のあるアタック・コード、スパム、ウィルスおよびワームのいずれかを含んでいるかを判定するために前記コンテンツを分析するステップを含む、
方法。
【請求項２３】
無線通信ネットワークにおいて不要パケット・データ・メッセージを識別するシステムにおいて、
パケット・データ・メッセージを代行受信するパケット・データ・メッセージ・インターセプタと、
代行受信したパケット・データ・メッセージが不要メッセージであるかを判定する不要メッセージ判定装置と、
前記不要メッセージ判定装置に応答して、前記メッセージが不要であることを示すために前記メッセージに関するアクションを実行するプロセッサと
を含み、前記不要メッセージ判定装置は、悪意のあるアタック・コード、スパム、ウィルスおよびワームを前記メッセージのコンテンツが含んでいるかを判定するために前記コンテンツを分析するように配置されているシステム。
【請求項２４】
無線通信システムにおいて所定の基地局コントローラおよび基地局のいずれかにより管理される無線通信ネットワーク端末により送信され、前記無線通信ネットワーク端末へ配信されるパケット・データ・メッセージを代行受信するパケット・データ・メッセージ・インターセプタであって、
パケット・データ・メッセージを代行受信するインターフェースと、無線通信ネットワークにおいて不要パケット・データ・メッセージを識別するプログラムを記憶したメモリと、プロセッサを備え、
前記プログラムは、  パケット・データ・メッセージを代行受信するステップと、
代行受信したパケット・データ・メッセージが不要メッセージであるかを判定するステップと、代行受信したパケット・データ・メッセージが不要メッセージであると判定された場合には、前記メッセージが不要であることを示すために前記メッセージに関するアクションを実行するステップを前記プロセッサに実行させ、
前記代行受信したパケット・データ・メッセージが不要メッセージであるかを判定するステップは、前記メッセージのコンテンツが、悪意のあるアタック・コード、スパム、ウィルスおよびワームのいずれかを含んでいるかを判定するために前記コンテンツを分析するステップを含む、パケット・データ・メッセージ・インターセプタ。
【請求項２５】
無線通信ネットワークにおいて不要パケット・データ・メッセージを識別するプログラムであって、
パケット・データ・メッセージを代行受信するステップと、
代行受信したパケット・データ・メッセージが不要メッセージであるかを判定するステップと、
代行受信したパケット・データ・メッセージが不要メッセージであると判定された場合には、前記メッセージが不要であることを示すために前記メッセージに関するアクションを実行するステップをコンピュータに実行させ、
前記代行受信したパケット・データ・メッセージが不要メッセージであるかを判定するステップは、前記メッセージのコンテンツが、悪意のあるアタック・コード、スパム、ウィルスおよびワームのいずれかを含んでいるかを判定するために前記コンテンツを分析するステップを含む、
プログラム。